(57)【要約】      （修正有）【課題】屋根端部の形状を簡単に所望形状に施工し得る工法に適用可能な屋根端部用部材をおよびそれを用いた屋根構造を提供する。【解決手段】板状の屋根端部用部材Ｂであって、前記屋根端部用部材Ｂは所望形状とされた本体部１０を含み、前記本体部１０は、躯体との接続部を有し、また前記本体部１０は、化粧屋根板材を固定するビス用の骨部材を配設するための所要数の骨部材用切欠１６を斜辺に有するものである。躯体との接合は、ボルト・ナット留めや溶接留めによりなされる。【選択図】図１
0003224637.tif 000002
【実用新案登録請求の範囲】
【請求項１】
板状の屋根端部用部材であって、
前記屋根端部用部材は、所望形状とされた本体部を含み、
前記本体部は、躯体との接続部を有し、
前記本体部は、屋根板材を固定する固定部材用の骨部材を配設するための所要数の骨部材用切欠を外周部に有する
ことを特徴とする屋根端部用部材。
【請求項２】
接続部は、本体部を躯体にボルト・ナット留めするためのボルト孔を有することを特徴とする請求項１記載の屋根端部用部材。
【請求項３】
接続部は、鉄骨との干渉をさけるための切欠を有することを特徴とする請求項１記載の屋根端部用部材。
【請求項４】
所望形状は、三角形状とされてなることを特徴とする請求項１記載の屋根端部用部材。
【請求項５】
斜辺が円弧状とされてなることを特徴とする請求項４記載の屋根端部用部材。
【請求項６】
所望形状は、半楕円形状とされてなることを特徴とする請求項１記載の屋根端部用部材。
【請求項７】
所望形状は、多角形状とされてなることを特徴とする請求項１記載の屋根端部用部材。
【請求項８】
屋根板材を固定する固定部材用の骨部材が配設される所要数の骨部材用切欠を外周部に有する板状の屋根端部用部材が、屋根の端部に沿って所定ピッチで配設されてなる屋根構造であって、
前記骨部材用切欠に配設された骨部材に固定部材により固定されてなる屋根板材を備えてなる
ことを特徴とする屋根構造。
【請求項９】
固定部材は、ビスとされてなることを特徴とする請求項８記載の屋根構造。
【請求項１０】
屋根端部用部材は躯体にボルト・ナット留めされてなることを特徴とする請求項８記載の屋根構造。
【請求項１１】
屋根端部用部材は躯体に溶接接合されてなることを特徴とする請求項８記載の屋根構造。
【考案の詳細な説明】
【技術分野】
【０００１】
本考案は、屋根端部用部材およびそれを用いた屋根構造に関する。さらに詳しくは、屋根の端部を所望形状となし得る屋根端部用部材およびそれを用いた屋根構造に関する。
【背景技術】
【０００２】
従来より、建物の屋根として施工の容易性などの観点から図１４に示すような瓦棒葺き屋根１００が用いられている。この瓦棒葺き屋根１００は、図１４に示すように直線的な形状であるため、屋根の形状が単調となり美観的効果を発揮しがたいという欠点がある。
【０００３】
しかるに、近年、建物の美観向上の観点から屋根にも美観を高めるような構造が採用されるようになってきている。とりわけ、屋根の端部は目に付く箇所であるため、意匠的な効果を高めるよう特異な形状のものが採用されるようになってきている。
【０００４】
かかる特異な形状の屋根端部の施工は、その特異性からそのほとんどが現場合わせによりなされているのが現状であるところから、施工効率が低いという問題がある。
【０００５】
そのため、建築関係者から屋根端部の形状を簡単に所望形状に施工し得る工法の出現が熱望されている。
【先行技術文献】
【特許文献】
【０００６】
【特許文献１】特許第３１２０１７３号公報
【考案の開示】
【考案が解決しようとする課題】
【０００７】
本考案はかかる従来技術の課題に鑑みなされたものであって、屋根端部の形状を簡単に所望形状に施工し得る工法に適用可能な屋根端部用部材およびそれを用いた屋根構造を提供することを目的としている。
【課題を解決するための手段】
【０００８】
本考案の第１形態は、板状の屋根端部用部材であって、前記屋根端部用部材は所望形状とされた本体部を含み、前記本体部は、躯体との接続部を有し、前記本体部は、屋根板材を固定する固定部材用の骨部材を配設するための所要数の骨部材用切欠を外周部に有することを特徴とする屋根端部用部材に関する。
【０００９】
本考案の第１形態においては、接続部は本体部を躯体にボルト・ナット留めするためのボルト孔を有するのが好ましい。
【００１０】
また、本考案の第１形態においては、接続部は鉄骨との干渉をさけるための切欠を有するのが好ましい。
【００１１】
さらに、本考案の第１形態においては、本体部は三角形状とされていてもよく、あるいは半楕円形状とされていてもよい。この場合、三角形の斜辺は円弧状とされていてもよい。
【００１２】
さらには、本体部は多角形状とされていてもよい。
【００１３】
本考案の第２形態は、屋根板材を固定する固定部材用の骨部材が配設される所要数の骨部材用切欠を外周部に有する板状の屋根端部用部材が、屋根の端部に沿って所定ピッチで配設されてなる屋根構造であって、前記骨部材用切欠に配設された骨部材に固定部材により固定されてなる屋根板材を備えてなることを特徴とする屋根構造に関する。
【００１４】
本考案の第２形態においては、固定部材は、例えばビスとされる。
【００１５】
また、本考案の第２形態においては、屋根端部用部材は躯体にボルト・ナット留めされていてもよく、あるいは屋根端部用部材は躯体に溶接留めされていてもよい。
【考案の効果】
【００１６】
本考案の屋根端部用部材は、前記の如く構成されているので、屋根端部用部材を定規として屋根端部を簡易に所望形状に施工することができる。
【図面の簡単な説明】
【００１７】
【図１】本考案の実施形態１に係る屋根端部用部材の正面図である。
【図２】同実施形態の施工手順の説明図であって、軒先下方に所定位置に受け部材を配設した状態を示す。
【図３】同実施形態の施工手順の説明図であって、躯体に配設された取付部材に本体部をボルト・ナット留めした状態を示す。
【図４】同実施形態の施工手順の説明図であって、骨部材用切欠に骨部材を嵌め込んだ状態を示す。
【図５】同実施形態の施工手順の説明図であって、本体部の斜辺に化粧屋根板材をビス留めした状態を示す。
【図６】変形例の図１相当図である。
【図７】本考案の実施形態２に係る屋根端部用部材の正面図である。
【図８】同実施形態の施工手順の説明図であって、躯体に本体部を溶接留めした状態を示す。
【図９】同実施形態の施工手順の説明図であって、下部の切欠に対応させて下方鉄骨を配設した状態を示す。
【図１０】同実施形態の施工手順の説明図であって、上部の切欠に対応させて上方鉄骨を配設した状態を示す。
【図１１】同実施形態の施工手順の説明図であって、骨部材用切欠に骨部材を嵌め込んだ状態を示す。
【図１２】同実施形態の施工手順の説明図であって、本体部の外周に化粧屋根板材をビス留めした状態を示す。
【図１３】変形例の図７相当図である。
【図１４】従来の瓦棒葺き屋根の概略図である。
【考案を実施するための形態】
【００１８】
以下、添付図面を参照しながら本考案を実施形態に基づいて説明するが、本考案はかかる実施形態のみに限定されるものではない。
【００１９】
実施形態１
図１に、本考案の実施形態１に係る屋根端部用部材Ｂを正面図で示す。
【００２０】
屋根端部用部材Ｂは、図１に示すように、所望形状(図示例では直角三角形状)の板状本体部(以下、単に本体部という)１０を含むものとされる。
【００２１】
本体部１０の材質は、例えば防食メッキされた鋼板とされ、その板厚は、例えば１−４ｍｍ程度とされる。
【００２２】
本体部１０の躯体側辺１１近傍には、本体部１０を躯体側に設けられた取付部材にボルト・ナット留めするためのボルト孔１２が所要数(図示例では４個)配設されている。
【００２３】
本体部１０の下辺(図示例では底辺)１３には、本体部１０を受ける支持部材を配設するための所望形状(図示例では長方形状)の切欠(受け部材用切欠)１４が所要数(図示例では１個)形成されている。
【００２４】
本体部１０の上辺(図示例では斜辺)１５には、化粧屋根板材をビス留する骨部材を配設するための所望形状(図示例では長方形状)の切欠(骨部材用切欠)１６が所要数(図示例では４個)形成されている。
【００２５】
次にかかる構成とされた屋根端部用部材Ｂを用いた屋根端部(図示例では軒先)における施工の一例について説明する。
【００２６】
ステップ１：軒先下方に本体部１０を受ける受け部材ＳＢを所定位置に配設する(図２参照)。
【００２７】
ステップ２：受け部材用切欠１４に受け部材ＳＢを嵌め込んで、躯体ＭＢに所定ピッチで配設された取付部材ＦＢに本体部１０をボルト・ナット留めする(図３参照)。
【００２８】
ステップ３：骨部材用切欠１６に骨部材、例えば軽量溝形鋼ＢＢを底面を外側にして嵌め込む(図４参照)。
【００２９】
ステップ４：本体部の斜辺に化粧屋根板材ＲＢを配設して骨部材ＢＢにビス留めする(図５参照)。
【００３０】
以上により、屋根端部用部材Ｂを用いた軒先における屋根葺き作業が完了する。なお、軒先下の施工は常法によりなされる。
【００３１】
しかして、図示例では、三角形は直角三角形とされているが、図６に示すように、底辺が傾斜した鈍角三角形とすることもできる。また、図示例では、斜辺１５は直線とされているが、円弧状とされてもよい。
【００３２】
このように、本実施形態においては、屋根端部用部材Ｂを定規として屋根端部を簡易に所望形状となし得る。
【００３３】
実施形態２
図７に、本考案の実施形態２に係る屋根用部材Ｂを正面図で示す。
【００３４】
実施形態２は実施形態１を改変してなるものであって、図７に示すように、本体部１０は概略半楕円形とされている。
【００３５】
以下、実施形態２の実施形態１と異なる点を中心に説明する。なお、実施形態１と同様の構成要素は、実施形態１と同一の符号を付してその図示説明は省略する。
【００３６】
本体部１０は前述したように概略半楕円形とされているが、より具体的には、躯体との当接部上部に所望形状(図示例では長方形状)に切りかかれた切欠２２を有する半楕円形状の上部２１と、躯体との当接部下部に所望形状(図示例では長方形状)に切りかかれた切欠３２を有する半楕円形状の下部３１とを含むものとされる。
【００３７】
上部２１には、化粧屋根板材をビス留用の骨部材を配設するための所望形状(図示例では長方形状)の切欠(骨部材用切欠)２３が所要数(図示例では３個)形成されている。
【００３８】
下部３１には、化粧屋根板材をビス留用の骨部材を配設するための所望形状(図示例では長方形状)の切欠(骨部材用切欠)３３が所要数(図示例では２個)形成されている。
【００３９】
次にかかる構成とされた屋根端部用部材Ｂを用いた屋根端部(図示例では軒先)における施工の一例について説明する。
【００４０】
ステップ１１：躯体ＭＢに所定ピッチで本体部１０を溶接留めする(図８参照)。
【００４１】
ステップ１２：本体部１０の切欠３２に対応させて下方鉄骨ＬＢを配設する(図９参照)。
【００４２】
ステップ１３：本体部１０の切欠２２に対応させて上方鉄骨ＵＢを配設する(図１０参照)。
【００４３】
ステップ１４：骨部材用切欠２３，３３に骨部材、例えば軽量溝形鋼ＢＢを底面を外側にして嵌め込む(図１１参照)。
【００４４】
ステップ１５：本体部１０の外周に化粧屋根板材ＲＢを配設して骨部材ＢＢにビス留めする(図１２参照)。
【００４５】
以上により、屋根端部用部材Ｂを用いた軒先における屋根葺き作業が完了する。なお、軒先下の施工は常法によりなされる。
【００４６】
このように、本実施形態においては、屋根端部用部材Ｂを定規として屋根端部を簡易に所望形状となし得る。
【００４７】
なお、図示例では、本体部１０は水平に配設されているが、図１３に示すように、傾斜させられてもよい。
【００４８】
以上、本考案を実施形態に基づいて説明してきたが、本考案はかかる実施形態のみに限定されるものではなく、種々改変が可能である。
【００４９】
例えば、本体部１０の形状を多角形状とすることもできる。
【産業上の利用可能性】
【００５０】
本考案は建設産業に適用できる。
【符号の説明】
【００５１】
Ｂ        屋根用部材
ＭＢ        躯体
ＦＢ        取付部材
ＳＢ        受け部材
ＢＢ        骨部材、軽量溝形鋼
ＲＢ        化粧屋根板材
ＬＢ        下方鉄骨
ＵＢ        上方鉄骨
１０        板状本体部、本体部
１１        躯体側辺
１２        ボルト孔
１３        下辺、底辺
１４        切欠(受け部材用切欠)
１５        上辺、斜辺 
１６        切欠(骨部材用切欠)
２１        上部
２２        切欠
２３        切欠(骨部材用切欠)
３１        下部
３２        切欠
３３        切欠(骨部材用切欠)
【図１】
0003224637.tif 000003
【図２】
0003224637.tif 000004
【図３】
0003224637.tif 000005
【図４】
0003224637.tif 000006
【図５】
0003224637.tif 000007
【図６】
0003224637.tif 000008
【図７】
0003224637.tif 000009
【図８】
0003224637.tif 000010
【図９】
0003224637.tif 000011
【図１０】
0003224637.tif 000012
【図１１】
0003224637.tif 000013
【図１２】
0003224637.tif 000014
【図１３】
0003224637.tif 000015
【図１４】
0003224637.tif 000016